(57)【要約】【課題】本発明は便利に固定できる運動アームバッグを開示した。【解決手段】本発明は便利に固定できる運動アームバッグを開示し、アームバッグと、アームバッグと合わせて使用される固定枠を含み、前記アームバッグの左側端壁には第一ラックがヒンジで連結され、前記第一ラックの端壁には左右に貫通しているロック穴が設置されており、前記アームバッグの中には上に開口した保存チャンバが設置されており、前記保存チャンバの頂壁には開閉門がヒンジで連結され、前記開閉門の底壁には前後に対称的なプッシュ棒が固定的に取り付けられ、本発明のアームバッグはアームに便利に固定され、同時にアームバッグは便利に外せ、物を便利に取り置き、設備はアームバッグの中の物品を固定でき、運動する過程中のぶつかりを減少させ、実用性を高める。【選択図】図１
2020175083.tif 000002
【特許請求の範囲】
【請求項１】
便利に固定できる運動アームバッグであって、アームバッグと、アームバッグと合わせて使用される固定枠を含み、前記アームバッグの左側端壁には第一ラックがヒンジで連結され、前記第一ラックの端壁には左右に貫通しているロック穴が設置されており、前記アームバッグの中には上に開口した保存チャンバが設置されており、前記保存チャンバの頂壁には開閉門がヒンジで連結され、前記開閉門の底壁には前後に対称的なプッシュ棒が固定的に取り付けられ、前記保存チャンバの中にはスライドボードがスライドできるように設置されており、前記スライドボードの底部には凹溝が設置されており、前記スライドボードと前記保存チャンバの底壁との間には第一戻し装置が弾性的に設置されており、前記保存チャンバの左側端壁の中には右に開口したバックルチャンバが設置されており、前記バックルチャンバの頂壁の中には下に開口した第一スライド穴が設置されており、前記第一スライド穴の中には第一スライド棒がスライドできるように設置されており、前記第一スライド棒と前記第一スライド穴の端壁との間には左右に対称的な第二戻し装置が弾性的に設置されており、前記第一スライド棒の中には楔形穴が設置されており、前記第一スライド穴の左側端壁の中には抜き穴が設置されており、前記固定枠の中にはスライドチャンバが設置されており、前記スライドチャンバの中にはスライダが設置されており、前記スライダの上下端壁には第二ラックが固定的に設置されており、前記スライダの左側端壁にはモーターが固定的に設置されており、前記スライドチャンバの中にはロック装置が設置されており、前記固定枠の左側端壁の中には前後に対称的に左に開口したリールチャンバが設置されており、前記リールチャンバの中には固定装置が設置されており、前記ロック装置と固定装置とが協働し、アームバッグの実用性を高めることを特徴とする便利に固定できる運動アームバッグ。
【請求項２】
前記ロック装置は前記固定枠の右側端壁に上下に対称的に設置されるスライド溝を含み、前記スライド溝と前記スライドチャンバとの間には歯車チャンバが連通して設置されており、前記歯車チャンバの中には前記第二ラックと噛み合う歯車が回転できるように設置されており、前記スライド溝の外側端壁の中にはカムチャンバが設置されており、前記カムチャンバと前記スライド溝との間には第二スライド穴が連通して設置されており、前記第二スライド穴の中には第二スライド棒がスライドできるように設置されており、前記第二スライド棒と前記第二スライド穴の端壁の間には第三戻し装置が弾性的に設置されており、前記スライドチャンバの左側端壁の中にはベルトチャンバが設置されており、前記ベルトチャンバと前記カムチャンバとの間には第一回転軸が回転できるように設置されており、前記カムチャンバの中の前記第一回転軸の末端にはカムが固定的に設置されており、前記ベルトチャンバの中にある前記第一回転軸の末端には第一プーリが固定的に設置されており、前記ベルトチャンバの中には第一スプラインスリーブが回転できるように設置されており、前記第一スプラインスリーブの外表面には第二プーリが固定的に設置されており、前記第二プーリと前記第一プーリとの間がベルトによって伝動できるように連結され、前記第一スプラインスリーブの中には左右に貫通している第一スプライン穴が設置されており、前記第一スプライン穴の中には前記モーターと伝動できるように連結されるスプライン軸がスプラインにより連結され、前記ベルトチャンバの左側端壁の中には第一伝動チャンバが設置されており、前記第一伝動チャンバの中には第二スプラインスリーブが回転できるように設置されており、前記第二スプラインスリーブの外表面には第一傘歯車が固定的に設置されており、前記第二スプラインスリーブの中には前記スプライン軸とスプラインにより係合される第二スプライン穴が設置されており、アームバッグと固定枠との分離と固定に便利であることを特徴とする請求項１に記載の便利に固定できる運動アームバッグ。
【請求項３】
前記固定装置は前記第一伝動チャンバの右側端壁の中に連通して設置される第二伝動チャンバを含み、前記第二伝動チャンバの底壁の中には第三伝動チャンバが設置されており、前記第三伝動チャンバと前記第二伝動チャンバとの間にはウォームが回転できるように設置されており、前記第二伝動チャンバの中の前記ウォームの末端には前記第一傘歯車と噛み合う第二傘歯車が固定的に設置されており、前側の前記リールチャンバの底壁の中には第四伝動チャンバが設置されており、前記第四伝動チャンバと前記第三伝動チャンバとの間には第二回転軸が回転できるように設置されており、前記第三回転チャンバの中の前記第二回転軸の末端には前記ウォームと噛み合うウォームホイールが固定的に設置されており、前記第四伝動チャンバの中の前記第二回転軸の末端には第三傘歯車が固定的に設置されており、前記リールチャンバの中にはリール軸が回転できるように設置されており、前記リール軸の外表面にはリールが固定的に設置されており、左右二つの前記リールの間には柔軟テープが周設されており、後側の前記リール軸の上下両側と前記リールチャンバの端壁の中のねじりバネとが弾性的に連結され、前側の前記リール軸の底部末端が前記第四伝動チャンバの中に挿入され、かつその末端には前記第三傘歯車と噛み合う第四傘歯車が固定的に設置されており、前記スライドチャンバの右側端壁の中には第三スライド穴が設置されており、前記第三スライド穴の中には前記スライダと固定的に連結される第三スライド棒がスライドできるように設置されており、固定枠をアームに便利に固定できることを特徴とする請求項１に記載の便利に固定できる運動アームバッグ。
【発明の詳細な説明】
【技術分野】
【０００１】
本発明は体育用具の分野を取り上げて、具体的には便利に固定できる運動アームバッグ
【背景技術】
【０００２】
人が運動する時、スマホと、鍵などの保存は不便であり、そのため常にアームバッグを使って保存し、普通のアームバッグは取り外しにくく、アームバッグの中の物品を取りだしにくく、それに伝統的なアームバッグは物品を固定する装置は設置されなく、運動する時揺れによってバッグの中の物品がぶつかり合い、そのため便利に固定されるアームバッグを求めて上記の問題を解決する。
【先行技術文献】
【特許文献】
【０００３】
【特許文献１】中国特許出願公開第１０８２０９１２４号明細書
【発明の概要】
【発明が解決しようとする課題】
【０００４】
本発明の目的は便利に固定されるアームバッグを提供し、現有の技術の上記欠点を克服でき、設備の実用性を高める。
【課題を解決するための手段】
【０００５】
本発明の便利に固定できる運動アームバッグは、アームバッグと、アームバッグと合わせて使用される固定枠を含み、前記アームバッグの左側端壁には第一ラックがヒンジで連結され、前記第一ラックの端壁には左右に貫通しているロック穴が設置されており、前記アームバッグの中には上に開口した保存チャンバが設置されており、前記保存チャンバの頂壁には開閉門がヒンジで連結され、前記開閉門の底壁には前後に対称的なプッシュ棒が固定的に取り付けられ、前記保存チャンバの中にはスライドボードがスライドできるように設置されており、前記スライドボードの底部には凹溝が設置されており、前記スライドボードと前記保存チャンバの底壁との間には第一戻し装置が弾性的に設置されており、前記保存チャンバの左側端壁の中には右に開口したバックルチャンバが設置されており、前記バックルチャンバの頂壁の中には下に開口した第一スライド穴が設置されており、前記第一スライド穴の中には第一スライド棒がスライドできるように設置されており、前記第一スライド棒と前記第一スライド穴の端壁との間には左右に対称的な第二戻し装置が弾性的に設置されており、前記第一スライド棒の中には楔形穴が設置されており、前記第一スライド穴の左側端壁の中には抜き穴が設置されており、前記固定枠の中にはスライドチャンバが設置されており、前記スライドチャンバの中にはスライダが設置されており、前記スライダの上下端壁には第二ラックが固定的に設置されており、前記スライダの左側端壁にはモーターが固定的に設置されており、前記スライドチャンバの中にはロック装置が設置されており、前記固定枠の左側端壁の中には前後に対称的に左に開口したリールチャンバが設置されており、前記リールチャンバの中には固定装置が設置されており、前記ロック装置と固定装置とが協働し、アームバッグの実用性を高める。
【０００６】
更なる技術方案、前記ロック装置は前記固定枠の右側端壁に上下に対称的に設置されるスライド溝を含み、前記スライド溝と前記スライドチャンバとの間には歯車チャンバが連通して設置されており、前記歯車チャンバの中には前記第二ラックと噛み合う歯車が回転できるように設置されており、前記スライド溝の外側端壁の中にはカムチャンバが設置されており、前記カムチャンバと前記スライド溝との間には第二スライド穴が連通して設置されており、前記第二スライド穴の中には第二スライド棒がスライドできるように設置されており、前記第二スライド棒と前記第二スライド穴の端壁の間には第三戻し装置が弾性的に設置されており、前記スライドチャンバの左側端壁の中にはベルトチャンバが設置されており、前記ベルトチャンバと前記カムチャンバとの間には第一回転軸が回転できるように設置されており、前記カムチャンバの中の前記第一回転軸の末端にはカムが固定的に設置されており、前記ベルトチャンバの中にある前記第一回転軸の末端には第一プーリが固定的に設置されており、前記ベルトチャンバの中には第一スプラインスリーブが回転できるように設置されており、前記第一スプラインスリーブの外表面には第二プーリが固定的に設置されており、前記第二プーリと前記第一プーリとの間がベルトによって伝動できるように連結され、前記第一スプラインスリーブの中には左右に貫通している第一スプライン穴が設置されており、前記第一スプライン穴の中には前記モーターと伝動できるように連結されるスプライン軸がスプラインにより連結され、前記ベルトチャンバの左側端壁の中には第一伝動チャンバが設置されており、前記第一伝動チャンバの中には第二スプラインスリーブが回転できるように設置されており、前記第二スプラインスリーブの外表面には第一傘歯車が固定的に設置されており、前記第二スプラインスリーブの中には前記スプライン軸とスプラインにより係合される第二スプライン穴が設置されており、アームバッグと固定枠との分離と固定に便利である。
【０００７】
更なる技術方案、前記固定装置は前記第一伝動チャンバの右側端壁の中に連通して設置される第二伝動チャンバを含み、前記第二伝動チャンバの底壁の中には第三伝動チャンバが設置されており、前記第三伝動チャンバと前記第二伝動チャンバとの間にはウォームが回転できるように設置されており、前記第二伝動チャンバの中の前記ウォームの末端には前記第一傘歯車と噛み合う第二傘歯車が固定的に設置されており、前側の前記リールチャンバの底壁の中には第四伝動チャンバが設置されており、前記第四伝動チャンバと前記第三伝動チャンバとの間には第二回転軸が回転できるように設置されており、前記第三回転チャンバの中の前記第二回転軸の末端には前記ウォームと噛み合うウォームホイールが固定的に設置されており、前記第四伝動チャンバの中の前記第二回転軸の末端には第三傘歯車が固定的に設置されており、前記リールチャンバの中にはリール軸が回転できるように設置されており、前記リール軸の外表面にはリールが固定的に設置されており、左右二つの前記リールの間には柔軟テープが周設されており、後側の前記リール軸の上下両側と前記リールチャンバの端壁の中のねじりバネとが弾性的に連結され、前側の前記リール軸の底部末端が前記第四伝動チャンバの中に挿入され、かつその末端には前記第三傘歯車と噛み合う第四傘歯車が固定的に設置されており、前記スライドチャンバの右側端壁の中には第三スライド穴が設置されており、前記第三スライド穴の中には前記スライダと固定的に連結される第三スライド棒がスライドできるように設置されており、固定枠をアームに便利に固定できる。
【発明の効果】
【０００８】
本発明の有益な効果は下記の通りである：
【０００９】
本発明のアームバッグはアームに便利に固定され、同時にアームバッグは便利に外せ、物を便利に取り置き、設備はアームバッグの中の物品を固定でき、運動する過程中のぶつかりを減少させ、実用性を高める。
【図面の簡単な説明】
【００１０】
発明実施例或いは現有技術の技術プランをもっとはっきり説明できるため、以下は実施例或いは現有技術の描写に使われる付図を簡単に紹介し、明らかに、以下述べる付図はただ発明の実施例であり、本分野の普通の技術人員にとって、創造的な労働を払わなくても、この付図によって他の付図を得られる。
【図１】図１は本発明の便利に固定できる運動アームバッグの全体構成模式図
【図２】図２は固定枠の全体構成模式図
【図３】図３はアームバッグの全体構成模式図
【図４】図４は図２のＡ−Ａの構成模式図
【図５】図５は図４のＢ−Ｂの構成模式図
【図６】図６は本発明の固定枠とアームバッグとの取り付けの構成模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
以下は図１−６について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−６に示されるように、本発明の便利に固定できる運動アームバッグは、アームバッグ４６と、アームバッグ４６と合わせて使用される固定枠１０を含み、前記アームバッグ４６の左側端壁には第一ラック４７がヒンジで連結され、前記第一ラック４７の端壁には左右に貫通しているロック穴４８が設置されており、前記アームバッグ４６の中には上に開口した保存チャンバ５５が設置されており、前記保存チャンバ５５の頂壁には開閉門４３がヒンジで連結され、前記開閉門４３の底壁には前後に対称的なプッシュ棒４４が固定的に取り付けられ、前記保存チャンバ５５の中にはスライドボード４５がスライドできるように設置されており、前記スライドボード４５の底部には凹溝５４が設置されており、前記スライドボード４５と前記保存チャンバ５５の底壁との間には第一戻し装置５６が弾性的に設置されており、前記保存チャンバ５５の左側端壁の中には右に開口したバックルチャンバ５７が設置されており、前記バックルチャンバ５７の頂壁の中には下に開口した第一スライド穴４９が設置されており、前記第一スライド穴４９の中には第一スライド棒５０がスライドできるように設置されており、前記第一スライド棒５０と前記第一スライド穴４９の端壁との間には左右に対称的な第二戻し装置５３が弾性的に設置されており、前記第一スライド棒５０の中には楔形穴５２が設置されており、前記第一スライド穴４９の左側端壁の中には抜き穴５１が設置されており、前記固定枠１０の中にはスライドチャンバ３７が設置されており、前記スライドチャンバ３７の中にはスライダ３５が設置されており、前記スライダ３５の上下端壁には第二ラック１８が固定的に設置されており、前記スライダ３５の左側端壁にはモーター３６が固定的に設置されており、前記スライドチャンバ３７の中にはロック装置２００が設置されており、前記固定枠１０の左側端壁の中には前後に対称的に左に開口したリールチャンバ６０が設置されており、前記リールチャンバ６０の中には固定装置３００が設置されており、前記ロック装置２００と固定装置３００とが協働し、アームバッグの実用性を高める。
【００１４】
有益なように、前記ロック装置２００は前記固定枠１０の右側端壁に上下に対称的に設置されるスライド溝３２を含み、前記スライド溝３２と前記スライドチャンバ３７との間には歯車チャンバ３４が連通して設置されており、前記歯車チャンバ３４の中には前記第二ラック１８と噛み合う歯車３３が回転できるように設置されており、前記スライド溝３２の外側端壁の中にはカムチャンバ１４が設置されており、前記カムチャンバ１４と前記スライド溝３２との間には第二スライド穴３１が連通して設置されており、前記第二スライド穴３１の中には第二スライド棒１５がスライドできるように設置されており、前記第二スライド棒１５と前記第二スライド穴３１の端壁の間には第三戻し装置３０が弾性的に設置されており、前記スライドチャンバ３７の左側端壁の中にはベルトチャンバ１６が設置されており、前記ベルトチャンバ１６と前記カムチャンバ１４との間には第一回転軸１２が回転できるように設置されており、前記カムチャンバ１４の中の前記第一回転軸１２の末端にはカム１３が固定的に設置されており、前記ベルトチャンバ１６の中にある前記第一回転軸１２の末端には第一プーリ１１が固定的に設置されており、前記ベルトチャンバ１６の中には第一スプラインスリーブ４１が回転できるように設置されており、前記第一スプラインスリーブ４１の外表面には第二プーリ４２が固定的に設置されており、前記第二プーリ４２と前記第一プーリ１１との間がベルト１７によって伝動できるように連結され、前記第一スプラインスリーブ４１の中には左右に貫通している第一スプライン穴４０が設置されており、前記第一スプライン穴４０の中には前記モーター３６と伝動できるように連結されるスプライン軸２３がスプラインにより連結され、前記ベルトチャンバ１６の左側端壁の中には第一伝動チャンバ１９が設置されており、前記第一伝動チャンバ１９の中には第二スプラインスリーブ２１が回転できるように設置されており、前記第二スプラインスリーブ２１の外表面には第一傘歯車２０が固定的に設置されており、前記第二スプラインスリーブ２１の中には前記スプライン軸２３とスプラインにより係合される第二スプライン穴２２が設置されており、アームバッグ４６と固定枠１０との分離と固定に便利である。
【００１５】
有益なように、前記固定装置３００は前記第一伝動チャンバ１９の右側端壁の中に連通して設置される第二伝動チャンバ２５を含み、前記第二伝動チャンバ２５の底壁の中には第三伝動チャンバ２７が設置されており、前記第三伝動チャンバ２７と前記第二伝動チャンバ２５との間にはウォーム２６が回転できるように設置されており、前記第二伝動チャンバ２５の中の前記ウォーム２６の末端には前記第一傘歯車２０と噛み合う第二傘歯車２４が固定的に設置されており、前側の前記リールチャンバ６０の底壁の中には第四伝動チャンバ６４が設置されており、前記第四伝動チャンバ６４と前記第三伝動チャンバ２７との間には第二回転軸６２が回転できるように設置されており、前記第三回転チャンバ２７の中の前記第二回転軸６２の末端には前記ウォーム２６と噛み合うウォームホイール２８が固定的に設置されており、前記第四伝動チャンバ２７の中の前記第二回転軸６２の末端には第三傘歯車６３が固定的に設置されており、前記リールチャンバ６０の中にはリール軸５８が回転できるように設置されており、前記リール軸５８の外表面にはリール５９が固定的に設置されており、左右二つの前記リール５９の間には柔軟テープ６６が周設されており、後側の前記リール軸５８の上下両側と前記リールチャンバ６０の端壁の中のねじりバネ６１とが弾性的に連結され、前側の前記リール軸５８の底部末端が前記第四伝動チャンバ６４の中に挿入され、かつその末端には前記第三傘歯車６３と噛み合う第四傘歯車６５が固定的に設置されており、前記スライドチャンバ３７の右側端壁の中には第三スライド穴３９が設置されており、前記第三スライド穴３９の中には前記スライダ３５と固定的に連結される第三スライド棒３８がスライドできるように設置されており、固定枠をアームに便利に固定できる。
【００１６】
以下、付図１−６及び上記の本願発明の便利に固定できる運動アームバッグの具体的な構造を参考してその使い方を詳しく説明する：
【００１７】
柔軟テープ６６をアームに掛け、モーター３６を始動し、モーター３６が回転し第二スプラインスリーブ２１を回転連動させ、それにより第一傘歯車２０と、第二傘歯車２４と、ウォーム２６と、ウォームホイール２８と、第三傘歯車６３と、第四傘歯車６５及び前側のリール５９を回転連動させ、この時柔軟テープ６６は右側のリール５９の外表面に巻き付き、それにより固定枠１０をアームに固定させ、開閉門４３を開き、開閉門４３が回転してプッシュ棒４４を回転連動させ、それによりスライドボード４５をプッシュして左へ移動させ、凹溝５４と第一スライド棒５０と位置合わせる時、第一スライド棒５０が凹溝５４の中に差し込んでスライドボード４５をロックし、この時保存したい物品を保存チャンバ５５の中のスライドボード４５の右側に置き、第一ラック４７を水平位置まで回し、第一ラック４７をスライド溝３２に差し込み、それによりスライダ３５を右へ移動させ、この時スプライン軸２３と第二スプラインスリーブ２１とが分離され、モーター３６を始動し、モーター３６が回転して第一スプライン軸４１を回転連動させ、第一スプライン軸４１が回転して第一プーリ４２と、第二プーリ１１及びカム１３を回転連動させ、それにより第二スライド棒１５をロック穴４８の中に押し込んでアームバッグ４６を固定させ、第三スライド棒３８が右へ移動して第一スライド棒５０を上へ移動連動させてスライドボード４５をアンロックさせ、この時スライドボード４５が第一戻し装置５６によって右へ移動して保存される物品を挟み付ける。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020175083.tif 000003
【図２】
2020175083.tif 000004
【図３】
2020175083.tif 000005
【図４】
2020175083.tif 000006
【図５】
2020175083.tif 000007
【図６】
2020175083.tif 000008